(57)【特許請求の範囲】
【請求項１】
フィードバック情報送信方法であって、該方法は、
ユーザ機器（ＵＥ）がフィードバック待ちの情報のビットデータに対して１つのサブフレーム内に時間領域拡張を行うステップと、
拡張後データ及び対応する復調参照信号をそれぞれ該サブフレーム内の複数のアップリンク単一搬送波周波数分割多重接続（ＳＣ−ＦＤＭＡ）符号にマッピングするステップと、
時分割多重の方式を採用して、同じ周波数領域位置で前記拡張後データ及び対応する復調参照信号を伝送するステップと、を含み、
各アップリンクＳＣ−ＦＤＭＡ符号は周波数領域でｎ個の連続の物理リソースブロックを占用し、ｎは正整数であり、
前記フィードバック待ちの情報のビットデータに対して１つのサブフレーム内に時間領域拡張を行うステップは、
Ｏビットのフィードバック待ちの情報のビットデータをＹ組に分け、Ｙ組に分けられた各組のデータに対してそれぞれ符号化を行い、各組の符号化後のデータを合併し、合併されたデータと共に伝送することと、
前記各組の符号化後に得られたビットデータを、ブロック交差的に一体に直列し、或いは各組の符号化後に得られたビットデータに対してそれぞれスクランブリング変調操作を行った後、各組の変調後に得られた符号を交差直列することと、を含み、
前記Ｏビットのフィードバック待ちの情報のビットデータをＹ組に分けるステップは、
前記フィードバック待ちの情報のビットデータからなるシーケンスにおける第１個のビットデータから、順次Ｙ組に分け、
【数１】
0005567219.tif 000029
或いは前記フィードバック待ちの情報のビットデータからなるシーケンスにおける各ビットデータの所在する位置をＹで割った余りを求め、余り値が同じビットデータを１組に分け、
或いは、フィードバック情報がチャンネル状態情報である時、各セルに対応するフィードバック待ちの情報を表すビットデータを相応的に１組に分け、
或いは、前記フィードバック待ちの情報のビットデータからなるシーケンスにおける第１のビットデータから、順次Ｙ組に分けることを含み、
【数２】
0005567219.tif 000030
フィードバック情報送信方法。
【請求項２】
前記フィードバック待ちの情報のビットデータに対して１つのサブフレーム内に時間領域拡張を行うステップは、
前記ビットデータに対して符号化を行った後、スクランブリング及び／又はインターリービング、及び変調を行うステップと、
符号化、スクランブリング及び／又はインターリービング、及び変調を行った後のデータに対してさらに離散フーリエ変換（ＤＦＴ）を行うステップと、をさらに含み、
前記スクランブリング、インターリービング及び変調の処理順序は任意である、請求項１に記載の方法。
【請求項３】
前記ビットデータに対して符号化を行うステップにおいて、
前記符号化の方式はＲＭ（３２、Ｏ）符号化或いは畳み込み符号化であり、
第ｉ組のデータの符号化後の長さをＺｉとすると、
【数３】
0005567219.tif 000031
であり、
Ｑは１つの変調符号に対応するビット数を表し、Ｌは１つの物理リソースブロックに含まれるサブキャリアの数量を表し、Ｙは正整数である、請求項１又は２に記載の方法。
【請求項４】
前記インターリービングの方式は、固定シーケンスに応じてインターリービング待ちのデータに対してインターリービングを行い、或いは行入力列出力の行列方式に応じてインターリービング待ちのデータに対してインターリービングを行い、或いはブロックインターリービング法に応じてインターリービングを行う、請求項２に記載の方法。
【請求項５】
前記符号化、スクランブリング及び／又はインターリービング、及び変調を行った後のデータに対してＤＦＴを行うステップは、
時間領域ですべてのデータに対して同時にＤＦＴ処理を行い、或いは時間領域で各物理リソースブロックに搬送されるデータに対してそれぞれＤＦＴ処理を行うことを含む、請求項２に記載の方法。
【請求項６】
前記復調参照信号のシーケンスは長さがｎ×Ｌのシーケンスからなり、或いは、前記復調参照信号のシーケンスはｎ本の長さがＬのシーケンスからなり、
Ｌは１つの物理リソースブロックに含まれるサブキャリアの数量である、請求項１に記載の方法。
【請求項７】
前記シーケンスはＺａｄｏｆｆ−Ｃｈｕ（ＺＣ）シーケンス、或いは、コンピューターにより発生されたＺＣシーケンス（Ｃｏｍｐｕｔｅｒ  Ｇｅｎｅｒａｔｉｏｎ  Ｚａｄｏｆｆ−Ｃｈ）である、請求項６に記載の方法。
【請求項８】
総帯域幅がＮであり、物理リソースブロックの索引に０から番号を付ける時、前記サブフレームにおける第１個のスロット内のアップリンクＳＣ−ＦＤＭＡ符号に占用される物理リソースブロックの索引がｍであると、該サブフレームにおける第２個のスロット内のアップリンクＳＣ−ＦＤＭＡ符号に占用される物理リソースブロックの索引がＮ−１−ｍ又はｍである、請求項１に記載の方法。
【請求項９】
１つのスロット内にｈ個のアップリンクＳＣ−ＦＤＭＡ符号を含む時、前記拡張後データ及び対応する復調参照信号を該サブフレーム内の複数のアップリンクＳＣ−ＦＤＭＡ符号にマッピングするステップは、
拡張後データをそれぞれ該サブフレームにおける各スロット内のｆ個のアップリンクＳＣ−ＦＤＭＡ符号にマッピングし、上記拡張後データに対応する復調参照信号をそれぞれ該サブフレームにおける各スロット内の他のｇ個のアップリンクＳＣ−ＦＤＭＡ符号にマッピングするステップ、或いは、
拡張後データの一部を該サブフレームにおける第１個のスロット内のｆ個のアップリンクＳＣ−ＦＤＭＡ符号にマッピングし、他の一部分のデータをサブフレームにおける第２個のスロット内のｆ個のアップリンクＳＣ−ＦＤＭＡ符号にマッピングし、各部分の既にマッピングされたデータに対応する復調参照信号を相応的に該サブフレームにおける対応するスロット内の他のｇ個のアップリンクＳＣ−ＦＤＭＡ符号にマッピングするステップを含み、
ｈ＝ｆ＋ｇであり、ｆは時間領域拡張シーケンスの長さである、請求項１に記載の方法。
【請求項１０】
前記スロットに通常サイクリックプレフィックスを採用する時、ｈ＝７、ｆ＝５、ｇ＝２であり、前記スロットに拡張サイクリックプレフィックスを採用する時、ｈ＝６、ｆ＝５、ｇ＝１である、請求項９に記載の方法。
【請求項１１】
前記フィードバック待ちの情報は肯定応答（ＡＣＫ）又は否定応答（ＮＡＣＫ）情報、チャンネル状態情報、ランクインジケータ情報及びスケジューリング要求情報の中の任意の一種又は任意の組み合せを含む、請求項１に記載の方法。
【請求項１２】
ユーザ機器であって、該ユーザ機器は時間領域拡張モジュール及びデータ伝送モジュールを備え、
前記時間領域拡張モジュールは、フィードバック待ちの情報のビットデータに対して１つのサブフレーム内に時間領域拡張を行うように設置され、
前記データ伝送モジュールは、前記時間領域拡張モジュールにより得られた拡張後データ及び対応する復調参照信号をそれぞれ該サブフレーム内の複数のアップリンク単一搬送波周波数分割多重接続（ＳＣ−ＦＤＭＡ）符号にマッピングし、時分割多重の方式を採用して、同じ周波数領域位置で前記拡張後データ及び対応する復調参照信号を伝送するように設置され、
ここで、各アップリンクＳＣ−ＦＤＭＡ符号は周波数領域でｎ個の連続の物理リソースブロックを占用し、ｎは正整数であり、
前記時間領域拡張モジュールは、
Ｏビットのフィードバック待ちの情報のビットデータをＹ組に分け、Ｙ組に分けられた各組のデータに対してそれぞれ符号化を行い、各組の符号化後のデータを合併し、合併されたデータと共に伝送し、
前記各組の符号化後に得られたビットデータを、ブロック交差的に一体に直列し、或いは各組の符号化後に得られたビットデータに対してそれぞれスクランブリング変調操作を行った後、各組の変調後に得られた符号を交差直列するように設置され、
前記Ｏビットのフィードバック待ちの情報のビットデータをＹ組に分けることは、前記フィードバック待ちの情報のビットデータからなるシーケンスにおける第１個のビットデータから、順次Ｙ組に分け、
【数４】
0005567219.tif 000032
或いは前記フィードバック待ちの情報のビットデータからなるシーケンスにおける各ビットデータの所在する位置をＹで割った余りを求め、余り値が同じビットデータを１組に分け、
或いは、フィードバック情報がチャンネル状態情報である時、各セルに対応するフィードバック待ちの情報を表すビットデータを相応的に１組に分け、
或いは、前記フィードバック待ちの情報のビットデータからなるシーケンスにおける第１のビットデータから、順次Ｙ組に分けることを含み、
【数５】
0005567219.tif 000033
ユーザ機器。
【請求項１３】
前記時間領域拡張モジュールは、前記ビットデータに対して符号化を行った後、スクランブリング及び／又はインターリービング、及び変調を行い、次に上記処理を行ったデータに対して離散フーリエ変換（ＤＦＴ）を行うという方式で、フィードバック待ちの情報のビットデータに対して１つのサブフレーム内に時間領域拡張を行うように設置され、前記スクランブリング、インターリービング及び変調の処理順序は任意である、請求項１２に記載のユーザ機器。
【発明の詳細な説明】
【技術分野】
【０００１】
本発明は移動無線通信分野に関し、特にフィードバック情報送信方法及びユーザ機器に関する。
【背景技術】
【０００２】
ロングタームエボリューション（Ｌｏｎｇ  Ｔｅｒｍ  Ｅｖｏｌｕｔｉｏｎ：ＬＴＥと略称する）システムにおける無線フレーム（Ｒａｄｉｏ  Ｆｒａｍｅ）は周波数分割複信（Ｆｒｅｑｕｅｎｃｙ  Ｄｉｖｉｓｉｏｎ  Ｄｕｐｌｅｘ：ＦＤＤと略称する）モードと時分割複信（Ｔｉｍｅ  Ｄｉｖｉｓｉｏｎ  Ｄｕｐｌｅｘ：ＴＤＤと略称する）モードのフレーム構造を備える。図１に示すように、ＦＤＤモードのフレーム構造において、１つの１０ミリ秒（ｍｓ）の無線フレームは２０個の長さが０．５ｍｓ、番号が０〜１９であるスロット（ｓｌｏｔ）からなり、スロット２ｉと２ｉ＋１は長さが１ｍｓであるサブフレーム（ｓｕｂｆｒａｍｅ）ｉ（０≦ｉ≦９）を構成する。図２に示すように、ＴＤＤモードのフレーム構造において、１つの１０ｍｓの無線フレームは２つの長さが５ｍｓであるハーフフレーム（ｈａｌｆ  ｆｒａｍｅ）からなり、１つのハーフフレームには５つの長さが１ｍｓであるサブフレームを備え、サブフレームｉは２つの長さが０．５ｍｓであるスロット２ｉと２ｉ＋１の組み合わせ（０≦ｉ≦９）と定義される。
【０００３】
上記２種のフレーム構造において、ノーマルサイクリックプレフィックス（Ｎｏｒｍａｌ  Ｃｙｃｌｉｃ  Ｐｒｅｆｉｘ：Ｎｏｒｍａｌ  ＣＰと略称する）を採用する場合に、１つのスロットには７つの長さが６６．７マイクロ秒（μｓ）である符号を含み、第１の符号のＣＰ長さが５．２１μｓで、他の６つの符号のＣＰ長さが４．６９μｓであり、拡張サイクリックプレフィックス（Ｅｘｔｅｎｄｅｄ  Ｃｙｃｌｉｃ  Ｐｒｅｆｉｘ：Ｅｘｔｅｎｄｅｄ  ＣＰと略称する）を採用する場合に、１つのスロットには６つの符号を含み、各符号のＣＰ長さがいずれも１６．６７μｓである。
【０００４】
各サブフレームがサポートするアップ・ダウンリンク配置は表１に示されている。ここで、「Ｄ」はダウンリンク伝送に専用するサブフレームを表し、「Ｕ」はアップリンク伝送に専用するサブフレームを表し、「Ｓ」はダウンリンクパイロットタイムスロット（Ｄｏｗｎｌｉｎｋ  Ｐｉｌｏｔ  Ｔｉｍｅ  Ｓｌｏｔ：ＤｗＰＴＳと略称する）、保護間隔（Ｇｕａｒｄ  Ｐｅｒｉｏｄ：ＧＰと略称する）及びアップリンクパイロットタイムスロット（Ｕｐｌｉｎｋ  Ｐｉｌｏｔ  Ｔｉｍｅ  Ｓｌｏｔ：ＵｐＰＴＳと略称する）という３つのドメインに用いられる特殊なサブフレームを表す。
【０００５】
【表１】
0005567219.tif 000002
【０００６】
上表から、ＬＴＥ  ＴＤＤが５ｍｓと１０ｍｓのアップ・ダウンリンク切り替え周期をサポートすることがわかる。ダウンリンクからアップリンクまでの転換点周期が５ｍｓであると、特殊なサブフレームは２つのハーフフレームに存在し、ダウンリンクからアップリンクまでの転換点周期が１０ｍｓであると、特殊なサブフレームが第１のハーフフレームのみに存在し、サブフレーム＃０とサブフレーム＃５及びＤｗＰＴＳが常にダウンリンク伝送に用いられ、ＵｐＰＴＳと特殊なサブフレームの後に密接に従うサブフレームとが、アップリンク伝送に用いられる。
【０００７】
ＬＴＥアップリンクは単一搬送波周波数分割多重接続（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ：ＳＣ−ＦＤＭＡと略称する）方式を採用し、アップリンク時間領域符号がアップリンクＳＣ−ＦＤＭＡ符号である。物理アップリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨと略称する）のフォーマットはＦｏｒｍａｔ  １、Ｆｏｒｍａｔ  １ａ、Ｆｏｒｍａｔ  １ｂ、Ｆｏｒｍａｔ  ２、Ｆｏｒｍａｔ  ２ａ及びＦｏｒｍａｔ  ２ｂの６種に分けられ、最も多いものは１５ビットのオリジナル情報を伝送することができる。各ＰＵＣＣＨは１つのサブフレームに２つの物理リソースブロックのリソースを占用し、１つのスロット内に１つの物理リソースブロックのリソースを占用する。
【０００８】
国際電気通信連合アドバンスト（Ｉｎｔｅｒｎａｔｉｏｎａｌ  Ｔｅｌｅｃｏｍｍｕｎｉｃａｔｉｏｎ  Ｕｎｉｏｎ−Ａｄｖａｎｃｅｄ：ＩＴＵ−Ａｄｖａｎｃｅｄと略称する）の要求を満たすために、ＬＴＥエボリューション標準とするロングタームエボリューションアドバンスト（Ｌｏｎｇ  Ｔｅｒｍ  Ｅｖｏｌｕｔｉｏｎ  Ａｄｖａｎｃｅｄ：ＬＴＥ−Ａと略称する）システムはより大きなシステム帯域幅（最も高いのは１００ＭＨｚに達する）をサポートする必要があり、且つＬＴＥの従来の標準に後方互換する必要がある。従来のＬＴＥシステムの基礎上に、ＬＴＥシステムの帯域幅を合併することによってより大きな帯域幅を取得し、このような技術はキャリアアグリゲーション（Ｃａｒｒｉｅｒ  Ａｇｇｒｅｇａｔｉｏｎ：ＣＡと略称する）技術と呼ばれる。該ＣＡ技術はＩＭＴ−Ａｄｖａｎｃｅシステムのスペクトル利用率を向上させ、スペクトルリソース不足を緩和し、さらにスペクトルリソースの利用を最適化することができる。前記キャリアアグリゲーションのＬＴＥシステム帯域幅はコンポーネントキャリア（Ｃｏｍｐｏｎｅｎｔ  Ｃａｒｒｉｅｒ：ＣＣと略称する）とみなすことができ、各コンポーネントキャリアが１つのセル（Ｃｅｌｌ）と呼ばれてもよく、ｎ個のコンポーネントキャリア（Ｃｅｌｌ）によりアグリゲーションして構成される。１つのＲ１０ユーザ機器（Ｕｓｅｒ  Ｅｑｕｉｐｍｅｎｔ：ＵＥ）のリソースは周波数領域のｎ個のセル（コンポーネントキャリア）により構成され、１つのセルが主セル（Ｐｒｉｍａｒｙ  ｃｅｌｌ）と呼ばれ、他のセルがセカンダリセル（Ｓｅｃｏｎｄａｒｙ  ｃｅｌｌ）と呼ばれる。
【０００９】
ＬＴＥ−Ａシステムに離散フーリエ変換拡散直交周波数分割多重（Ｄｉｓｃｒｅｔｅ  Ｆｏｕｒｉｅｒ  Ｔｒａｎｓｆｏｒｍ  Ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＤＦＴ−Ｓ−ＯＦＤＭと略称する）に基づくフォーマットを導入し、４より多いビットをサポートできるＵＥがＡＣＫ／ＮＡＣＫ応答メッセージのフィードバックを行い、且つこのような新しいＤＦＴ−Ｓ−ＯＦＤＭに基づくフォーマットを制御チャンネルフォーマット３と呼び、ＰＵＣＣＨ  Ｆｏｒｍａｔ  ３は従来ＲＭ（３２、Ｏ）の符号化方式（即ちＲｅｅｄ  Ｍｕｌｌｅｒ（３２、Ｏ）符号化方式）を採用し、最も多いものは１１ビットの情報を伝送することができる。
【００１０】
ＴＤＤシステムにおいて、１つのアップリンクサブフレームは複数のダウンリンクサブフレームに対応し、且つ、各ダウンリンクサブフレーム上にｎ個のセルがあり、図３に示す。各セルは異なる伝送モードに基づいて１つの伝送ブロック伝送を有してもよく、２つの伝送ブロック伝送を有しても良い。キャリアアグリゲーションのため、１つのサブフレームが周波数領域で複数のセルに対応する時、ＵＥは複数のセルのダウンリンクチャンネル情報をフィードバックする必要がある。現在ＰＵＣＣＨチャンネルフィードバック情報ビット容量が制限され、１つのＰＵＣＣＨチャンネルで同時にダウンリンクチャンネルに対応する複数のセルの情報をフィードバックできないため、異なるサブフレームに分配して伝送する必要があり、その結果、情報フィードバックの遅延を大きくし、基地局のダウンリンク動的スケジューリングに不利となり、システム性能に影響を与える。
【発明の概要】
【発明が解決しようとする課題】
【００１１】
本発明は、フィードバック情報送信方法及びユーザ機器を提供して、従来技術のＵＥが１つのＰＵＣＣＨチャンネル上で同時に対応するダウンリンクチャンネル上での複数のセルの情報をフィードバックできない欠陥を克服することを主な目的とする。
【課題を解決するための手段】
【００１２】
上記問題を解決ために、本発明はフィードバック情報送信方法を提供し、該方法は、
ユーザ機器（ＵＥ）がフィードバック待ちの情報のビットデータに対して１つのサブフレーム内に時間領域拡張を行うステップと、
拡張後データ及び対応する復調参照信号をそれぞれ該サブフレーム内の複数のアップリンク単一搬送波周波数分割多重接続（ＳＣ−ＦＤＭＡ）符号上にマッピングするステップと、
時分割多重の方式を採用し、同じ周波数領域位置で前記拡張後データ及び対応する復調参照信号を伝送するステップと、を含み、
各アップリンクＳＣ−ＦＤＭＡ符号は周波数領域でｎ個の連続の物理リソースブロックを占用し、ｎは正整数である。
【００１３】
上記方法において、
前記フィードバック待ちの情報のビットデータに対して１つのサブフレーム内に時間領域拡張を行うステップは、前記ビットデータに対して符号化、スクランブリング及び／又はインターリービング、及び変調を行うステップと、
さらに符号化、スクランブリング及び／又はインターリービング、及び変調を行った後のデータに対して離散フーリエ変換（ＤＦＴ）を行うステップと、を含み、
前記スクランブリング、インターリービング及び変調の処理順序は任意である。
【００１４】
【数１】
0005567219.tif 000003
【００１５】
上記方法において、前記フィードバック待ちの情報のビットデータに対して１つのサブフレーム内に時間領域拡張を行うステップは、
前記ＵＥが各組の符号化後に得られたビットデータを、順序に応じて一体に直列し、或いは交差的に一体に直列し、或いはブロック交差的に一体に直列し、或いは前記ＵＥが各組の符号化後に得られたビットデータに対してそれぞれスクランブリング変調操作を行った後、各組の変調後に得られた符号を直列することを含み、前記直列の方式は順序直列或いは交差直列である。
【００１６】
【数２】
0005567219.tif 000004
【００１７】
上記方法において、
前記インターリービングの方式は、固定シーケンスに応じてインターリービング待ちのデータに対してインターリービングを行い、或いは行入力列出力の行列方式（ｒｏｗ−ｗｉｓｅ  ｗｒｉｔｅ  ａｎｄ  ｃｏｌｕｍｎ−ｗｉｓｅ  ｒｅａｄ  ｍａｔｒｉｘ  ｗａｙ）に応じてインターリービング待ちのデータに対してインターリービングを行い、或いはブロックインターリービング法に応じてインターリービングを行う。
【００１８】
上記方法において、
前記符号化、スクランブリング及び／又はインターリービング、及び変調を行った後のデータに対してＤＦＴを行うステップは、
時間領域ですべてのデータに対して同時にＤＦＴ処理を行い、或いは時間領域で各物理リソースブロックに搬送されるデータに対してそれぞれＤＦＴ処理を行うことを含む。
【００１９】
上記方法において、
前記復調参照信号のシーケンスは長さがｎ×Ｌのシーケンスからなり、或いは、前記復調参照信号のシーケンスはｎ本の長さがＬのシーケンスからなり、
Ｌは１つの物理リソースブロックに含まれるサブキャリアの数量である。
【００２０】
上記方法において、
前記シーケンスはＺａｄｏｆｆ−Ｃｈｕ（ＺＣ）シーケンスで或いはコンピューターにより発生されたＺＣシーケンス（Ｃｏｍｐｕｔｅｒ  Ｇｅｎｅｒａｔｉｏｎ  Ｚａｄｏｆｆ−Ｃｈ）である。
【００２１】
上記方法において、
総帯域幅がＮであり、物理リソースブロック索引が０から番号を付ける時、前記サブフレームにおける第１のスロット内のアップリンクＳＣ−ＦＤＭＡ符号に占用される物理リソースブロックの索引がｍであると、該サブフレームにおける第２のスロット内のアップリンクＳＣ−ＦＤＭＡ符号に占用される物理リソースブロックの索引がＮ−１−ｍ又はｍである。
【００２２】
上記方法において、
１つのスロット内にｈ個のアップリンクＳＣ−ＦＤＭＡ符号を含む時、拡張後データ及び対応する復調参照信号を該サブフレーム内の複数のアップリンクＳＣ−ＦＤＭＡ符号にマッピングするステップは、拡張後データをそれぞれ該サブフレームにおける各スロット内のｆ個のアップリンクＳＣ−ＦＤＭＡ符号にマッピングし、上記拡張後データに対応する復調参照信号をそれぞれサブフレームにおける各スロット内の他のｇ個のアップリンクＳＣ−ＦＤＭＡ符号にマッピングし、或いは、拡張後データの一部をサブフレームにおける第１のスロット内のｆ個のアップリンクＳＣ−ＦＤＭＡ符号にマッピングし、他の一部分のデータをサブフレームにおける第２のスロット内のｆ個のアップリンクＳＣ−ＦＤＭＡ符号にマッピングし、各部分のマッピングしたデータに対応する復調参照信号をに該サブフレームにおける対応するスロット内の他のｇ個のアップリンクＳＣ−ＦＤＭＡ符号にマッピングすることを含み、ｈ＝ｆ＋ｇであり、ｆは時間領域拡張シーケンスの長さである。
【００２３】
上記方法において、
前記スロットに通常サイクリックプレフィックスを採用する時、ｈ＝７、ｆ＝５、ｇ＝２であり、前記スロットに拡張サイクリックプレフィックスを採用する時、ｈ＝６、ｆ＝５、ｇ＝１である。
【００２４】
上記方法において、
前記フィードバック待ちの情報は肯定応答（ＡＣＫ）又は否定応答（ＮＡＣＫ）情報、チャンネル状態情報、ランクインジケータ情報及びスケジューリング要求情報の中の任意一種又は任意組み合せを含む。
【００２５】
上記問題を解決するために、本発明はさらにフィードバック情報送信方法を提供し、該方法は、
ユーザ機器がフィードバック待ちの情報のビットデータをｎ組に分けた後、各組のデータを適切にフォーマットが物理アップリンク制御チャネルフォーマット（ＰＵＣＣＨ  Ｆｏｒｍａｔ）２又はＰＵＣＣＨ  Ｆｏｒｍａｔ３であるＰＵＣＣＨによって送信し出すことを含み、ｎは２であり、前記ビットデータを搬送するＰＵＣＣＨは周波数領域で同じ又は隣接の物理リソースブロックを占用する。
【００２６】
【数３】
0005567219.tif 000005
【００２７】
上記方法において、
前記フィードバック待ちの情報は、肯定応答（ＡＣＫ）又は否定応答（ＮＡＣＫ）情報、チャンネル状態情報、ランクインジケータ情報及びスケジューリング要求情報の中の任意一種又は任意組み合せを含む。
【００２８】
上記問題を解決するために、本発明はさらにユーザ機器を提供し、該ユーザ機器は、時間領域拡張モジュール及びデータ伝送モジュールを備え、
前記時間領域拡張モジュールは、フィードバック待ちの情報のビットデータに対して１つのサブフレーム内に時間領域拡張を行うように設置され、
前記データ伝送モジュールは、前記時間領域拡張モジュールにより得られた拡張後データ及び対応する復調参照信号をそれぞれ該サブフレーム内の複数のアップリンク単一搬送波周波数分割多重接続（ＳＣ−ＦＤＭＡ）符号にマッピングし、時分割多重の方式を採用し、同じ周波数領域位置で前記拡張後データ及び対応する復調参照信号を伝送するように設置され、各アップリンクＳＣ−ＦＤＭＡ符号は周波数領域でｎ個の連続の物理リソースブロックを占用し、ｎは正整数である。
【００２９】
上記ユーザ機器において、
前記時間領域拡張モジュールは、前記ビットデータに対して符号化、スクランブリング及び／又はインターリービング、及び変調を行い、次に上記処理を行ったデータに対して離散フーリエ変換（ＤＦＴ）を行うという方式で、フィードバック待ちの情報のビットデータに対して１つのサブフレーム内に時間領域拡張を行うように設置され、前記スクランブリング、インターリービング及び変調の処理順序は任意である。
【００３０】
上記問題を解決するために、本発明はさらにユーザ機器を提供し、該ユーザ機器はパケットモジュール及び送信モジュールを備え、
前記パケットモジュールは、フィードバック待ちの情報のビットデータをｎ組に分けるように設置され、
前記送信モジュールは、各組のデータを適切にフォーマットが物理アップリンク制御チャネルフォーマット（ＰＵＣＣＨ  Ｆｏｒｍａｔ）２又はＰＵＣＣＨ  Ｆｏｒｍａｔ３であるＰＵＣＣＨによって送信し出すように設置され、ｎは２であり、前記ビットデータを搬送するＰＵＣＣＨは周波数領域で同じ又は隣接の物理リソースブロックを占用する。
【００３１】
【数４】
0005567219.tif 000006
【発明の効果】
【００３２】
本発明はＵＥフィードバック情報のビット数量を増加させ、アップリンクフィードバック容量を向上させ、システムの最大スループットを保証し、且つダウンリンクチャンネル情報のフィードバック遅延を減少させる。
【図面の簡単な説明】
【００３３】
【図１】従来技術のＦＤＤシステムにおけるフレーム構造模式図である。
【図２】従来技術のＴＤＤシステムにおけるフレーム構造模式図である。
【図３】従来技術のキャリアアグリゲーションシーンにおいて１つのアップリンクサブフレームが対応するダウンリンクスケジューリングウィンドウ模式図である。
【図４ａ】ｎ＝２の時、ＰＵＣＣＨ  Ｆｏｒｍａｔ  Ｘの通常サイクリックプレフィックスの場合でのチャンネル構造模式図である。
【図４ｂ】ｎ＝２の時、ＰＵＣＣＨ  Ｆｏｒｍａｔ  Ｘの拡張サイクリックプレフィックスの場合でのチャンネル構造模式図である。
【図５】本発明の実施例におけるテイルバイティング畳み込み符号の模式図である。
【図６ａ】ｎ＝３の時、ＰＵＣＣＨ  Ｆｏｒｍａｔ  Ｘの通常サイクリックプレフィックスの場合でのチャンネル構造模式図である。
【図６ｂ】ｎ＝３の時、ＰＵＣＣＨ  Ｆｏｒｍａｔ  Ｘの拡張サイクリックプレフィックスの場合でのチャンネル構造模式図である。
【図７ａ】ｎ＝１の時、ＰＵＣＣＨ  Ｆｏｒｍａｔ  Ｘの通常サイクリックプレフィックスの場合でのチャンネル構造模式図である。
【図７ｂ】ｎ＝１の時、ＰＵＣＣＨ  Ｆｏｒｍａｔ  Ｘの拡張サイクリックプレフィックスの場合でのチャンネル構造模式図である。
【図８ａ】ｎ＝１の時、ＰＵＣＣＨ  Ｆｏｒｍａｔ  Ｘ符号化変調マッピング過程の模式図である。
【図８ｂ】ｎ＝１の時、ＰＵＣＣＨ  Ｆｏｒｍａｔ  Ｘ符号化変調マッピング過程の模式図である。
【図８ｃ】ｎ＝１の時、ＰＵＣＣＨ  Ｆｏｒｍａｔ  Ｘ符号化変調マッピング過程の模式図である。
【図９】本発明の実施例におけるフィードバック情報の送信方法のフロー図である。
【発明を実施するための形態】
【００３４】
本発明の目的、技術案及びメリットをより明確にするために、以下に図面を参照しながら本発明の実施例を詳しく説明する。ただし、矛盾しない場合において、本出願における実施例及び実施例の中の特徴を互いに任意に組み合せることができる。
【００３５】
本発明実施例のフィードバック情報の送信方法は図９に示され、該方法は以下を含み、
ＵＥはフィードバック待ちの情報のビットデータに対して１つのサブフレーム内に時間領域拡張を行い、そのうち、フィードバック待ちの情報は肯定応答（Ａｃｋｎｏｗｌｅｄｇｅ、ＡＣＫ）／否定応答（Ｎｏｎ−Ａｃｋｎｏｗｌｅｄｇｅ、ＮＡＣＫ）情報、チャンネル状態情報、ランクインジケータ情報及びスケジューリング要求情報の中の任意一種又は任意組み合せであってもよく、フィードバック待ちの情報に含まれるビット数は、アップ・ダウンリンクスロット配置及び該ＵＥのために配置されたセルと相応な伝送モードに基づいて確定されることができ、
拡張後データ及び対応する復調参照信号をそれぞれ該サブフレーム内の複数のアップリンクＳＣ−ＦＤＭＡ符号にマッピングし、時分割多重の方式を採用し、同じ周波数領域位置で該拡張後データ及び対応する復調参照信号を伝送し、そのうち、各アップリンクＳＣ−ＦＤＭＡ符号は周波数領域でｎ個の連続の物理リソースブロックを占用し、ｎは正整数であり、復調参照信号のシーケンスは長さがｎ×Ｌのコンピューターにより発生されたＺＣ（Ｃｏｍｐｕｔｅｒ  Ｇｅｎｅｒａｔｉｏｎ−Ｚａｄｏｆｆ−Ｃｈｕ、ＣＧ−ＺＣ）シーケンス或いはＺＣシーケンスから構成されてもよく（表２と表３ａと表３ｂに示す）、ｎ本の長さがＬのＣＧ−ＺＣシーケンス或いはＺＣシーケンスから構成されてもよく、Ｌは１つの物理リソースブロックに含まれるサブキャリア数量である。
【００３６】
【表２】
0005567219.tif 000007
【００３７】
【表３ａ】
0005567219.tif 000008
【００３８】
【表３ｂ】
0005567219.tif 000009
【００３９】
総帯域幅がＮであり、物理リソースブロック索引が０から番号を付けると仮定すると、上記サブフレームにおける第１のスロット内のアップリンクＳＣ−ＦＤＭＡ符号に占用される物理リソースブロックの索引がｍである時、該サブフレームにおける第２のスロット内のアップリンクＳＣ−ＦＤＭＡ符号に占用される物理リソースブロックの索引がＮ−１−ｍ又はｍのいずれかであってもよい。該チャンネルリソース情報は高層シグナリングによって上記ＵＥに配置することができる。
【００４０】
１つのスロット内にｈ個のアップリンクＳＣ−ＦＤＭＡ符号を含む時、上記の拡張後データ及び対応する復調参照信号を該サブフレーム内の複数のアップリンクＳＣ−ＦＤＭＡ符号にマッピングするのは、拡張後データをそれぞれ該サブフレームにおける各スロット内のｆ個のアップリンクＳＣ−ＦＤＭＡ符号にマッピングし、上記拡張後データに対応する復調参照信号をそれぞれ該サブフレームにおける各スロット内の他のｇ個のアップリンクＳＣ−ＦＤＭＡ符号にマッピングし、即ち、マッピングを完成した後同一サブフレーム内の２つのスロットに伝送されるデータが同じであり、或いは、拡張後データの一部を該サブフレームにおける第１のスロット内のｆ個のアップリンクＳＣ−ＦＤＭＡ符号にマッピングし、他の一部分のデータをサブフレームにおける第２のスロット内のｆ個のアップリンクＳＣ−ＦＤＭＡ符号にマッピングし、各部分のマッピングしたデータに対応する復調参照信号を相応的に該サブフレームにおける対応するスロット内の他のｇ個のアップリンクＳＣ−ＦＤＭＡ符号にマッピングし、即ち、マッピングを完成した同一サブフレーム内の２つのスロットに伝送されるデータが異なることを指す。ｈ＝ｆ＋ｇで、時間領域拡張符号の長さがｆである。
【００４１】
具体的な実施において、フィードバック待ちの情報のビットデータに対して時間領域拡張を行うのは、直交シーケンスを用いて符号化後のシーケンスを対応するアップリンクＳＣ−ＦＤＭＡ符号に拡張することを指し、直交シーケンスは離散フーリエ変換（Ｄｉｓｃｒｅｔｅ  Ｆｏｕｒｉｅｒ  Ｔｒａｎｓｆｏｒｍ：ＤＦＴと略称する）シーケンスを採用することができ、具体的に、該データに対して符号化、スクランブリング及び／又はインターリービング、及び変調を行い、その後、上記処理を行ったデータに対してＤＦＴを行うことを含む。スクランブリング、インターリービング及び変調の順序は任意に変えることができる。
【００４２】
前記インターリービング方法は、シーケンス｛ｘ０，ｘ１，…，ｘＢ−１｝に基づいてインターリービング待ちのビットデータに対してインターリービングを行い、ｘ０，ｘ１，…，ｘＢ−１は１からＢまでの正整数シーケンスであり、Ｂがインターリービングシーケンス長さであり、或いは、前記インターリービング方法は行入力列出力の行列インターリービング方法に応じて行い、
符号化方法はＲＭ（３２、Ｏ）符号化或いは畳み込み符号化であってもよい。畳み込み符号化方式を採用する時、さらに巡回冗長検査（Ｃｙｃｌｉｃ  Ｒｅｄｕｎｄａｎｃｙ  Ｃｈｅｃｋ：ＣＲＣと略称する）と上記フィードバック待ちの情報のビットデータとを同時に符号化を行う必要がある。符号化を行った後、Ｏビットのフィードバック待ちの情報のビットデータがｎ×Ｌ×Ｑ×２ビット（同一サブフレーム内の２つのスロットに伝送されるデータが異なる場合に適用する）又はＬ×Ｑ×ｎビット（同一サブフレーム内の２つのスロットに伝送されるデータが同じである場合に適用する）になり、Ｑは１つの変調符号に対応するビット数を表し、Ｌは１つの物理リソースブロックに含まれるサブキャリア数量であり、各アップリンクＳＣ−ＦＤＭＡ符号は周波数領域でｎ個の連続の物理リソースブロックを占用し、Ｏは符号化の必要なフィードバック情報数量を表し、オリジナルビット数量、即ち、符号化前のビット数量と相当し、Ｙはフィードバック情報パケット符号化の組数を表し、正整数である。
【００４３】
【数５】
0005567219.tif 000010
【００４４】
【数６】
0005567219.tif 000011
【００４５】
そのほか、上記の上記処理を行ったデータに対してＤＦＴを行うのは、時間領域ですべてのデータに対して同時にＤＦＴ処理を行ってもよく、或いは、時間領域で各物理リソースブロックにおけるデータに対してそれぞれＤＦＴ処理を行ってもよい。
【００４６】
１つの実施例において、総帯域幅がＮであり、物理リソースブロック索引が０から番号を付け、上記方法で上記フィードバック情報を伝送するチャンネルは１つのサブフレームにおける第１のスロットに占用する物理リソースブロック索引がｍで、該サブフレームにおける第２のスロットの物理リソースブロック索引がＮ−１−ｍであり、且つ、オリジナルのＯ個のフィードバック待ちの情報のビットデータをｎ×Ｌ×Ｑ×２ビットに符号化し、ＲＭ（３２、Ｏ）符号化方式を採用し、ｎ＝１、Ｌ＝１２、Ｑ＝２であり、直交位相シフトキーイング（Ｑｕａｄｒａｔｕｒｅ  Ｐｈａｓｅ  Ｓｈｉｆｔ  Ｋｅｙｉｎｇ：ＱＰＳＫと略称する）変調方式を用いる。前記チャンネル構造の時間領域の長さが１つのサブフレームであり、サイクリックプレフィックスは通常サイクリックプレフィックスである時、拡張後データに対応するアップリンクＳＣ−ＦＤＭＡ符号が５つであり、復調参照信号に対応するアップリンクＳＣ−ＦＤＭＡ符号が２つであり、各スロットの第２と第６のアップリンクＳＣ−ＦＤＭＡ符号に位置し、サイクリックプレフィックスは拡張サイクリックプレフィックスである時、拡張後データに対応するアップリンクＳＣ−ＦＤＭＡ符号が５つであり、復調参照信号に対応するアップリンクＳＣ−ＦＤＭＡ符号が１つであり、各スロットの第３の又は第４のアップリンクＳＣ−ＦＤＭＡ符号に位置し、時間領域拡張符号が５次ＤＦＴシーケンスであり、この時、前記チャンネル構造がＰＵＣＣＨ  Ｆｏｒｍａｔ３であり、
別の実施例において、総帯域幅がＮであり、物理リソースブロック索引が０から番号を付け、上記方法で上記フィードバック情報を伝送するチャンネルは１つのサブフレームにおける第１のスロットに占用する物理リソースブロック索引がｍで、該サブフレームにおける第２のスロットに占用する物理リソースブロック索引がＮ−１−ｍであり、前記チャンネル構造の時間領域長さが１つのサブフレームであり、サイクリックプレフィックスは通常サイクリックプレフィックスである時、拡張後データに対応するアップリンクＳＣ−ＦＤＭＡ符号が５つであり、復調参照信号に対応するアップリンクＳＣ−ＦＤＭＡ符号が２つであり、各スロットの第２と第６のアップリンクＳＣ−ＦＤＭＡ符号に位置し、サイクリックプレフィックスは拡張サイクリックプレフィックスである時、データに対応するアップリンクＳＣ−ＦＤＭＡ符号が５つであり、復調参照信号に対応するアップリンクＳＣ−ＦＤＭＡ符号が１つであり、各スロットの第３の又は第４のアップリンクＳＣ−ＦＤＭＡ符号に位置し、時間領域拡張符号が５次ＤＦＴシーケンスである。オリジナルのＯ個のビットのフィードバック待ちの情報のビットデータをＹ組に分け、各組のデータに対してそれぞれＲＭ（３２、Ｏ）符号化を行い、第ｉ組データの符号化後の長さがＬ×Ｑであり、Ｙ＝２、Ｌ＝１２、Ｑ＝２であり、ＱＰＳＫ変調方式を用い、或いは、オリジナルのＯ個のビットのフィードバック待ちの情報のビットデータに対して畳み込み符号化を行い、符号化後の長さがＬ×Ｑ×ｎ×２であり、Ｙ＝２、ｎ＝１、Ｌ＝１２、Ｑ＝２であり、ＱＰＳＫ変調方式を用い、該データに対して符号化を行った後、さらにスクランブリング及び／又はインターリービング、及び変調（又は該データに対して符号化を行った後、さらにスクランブリング、変調を行い、最後にインターリービングを行い又はインターリービングを行わない）を行い、前記インターリービング方法は固定シーケンスに応じてインターリービングを行い、或いは行入力列出力の行列インターリービング方法に応じて、或いはブロックインターリービング方法に応じて行う。
【００４７】
別の実施例において、総帯域幅がＮであり、物理リソースブロック索引が０から番号を付け、上記方法で上記フィードバック情報を伝送するチャンネルは１つのサブフレームにおける第１のスロットに占用する物理リソースブロック索引がｍで、本サブフレームにおける第２のスロットに占用する物理リソースブロック索引がＮ−１−ｍであり、前記チャンネル構造の時間領域長さが１つのサブフレームであり、サイクリックプレフィックスは通常サイクリックプレフィックスである時、拡張後データに対応するアップリンクＳＣ−ＦＤＭＡ符号が５つで、復調参照信号に対応するアップリンクＳＣ−ＦＤＭＡ符号が２つであり、各スロットの第２と第６のアップリンクＳＣ−ＦＤＭＡ符号に位置し、サイクリックプレフィックスは拡張サイクリックプレフィックスである時、拡張後データに対応するアップリンクＳＣ−ＦＤＭＡ符号が５つで、復調参照信号に対応するアップリンクＳＣ−ＦＤＭＡ符号が１つであり、各スロットの第３の又は第４のアップリンクＳＣ−ＦＤＭＡ符号に位置し、時間領域拡張符号が５次ＤＦＴシーケンスである。オリジナルのＯ個のビットフィードバック待ちの情報のビットデータをＹ組に分け、各組のデータに対してそれぞれＲＭ（３２、Ｏ）符号化を行い、第ｉ組データの符号化後の長さがＬ×Ｑ×２又はＬ×Ｑであり、Ｙ＝２、ｎ＝２、Ｌ＝１２、Ｑ＝２であり、ＱＰＳＫ変調方式を用い、或いは、オリジナルのＯ個のビットに対して畳み込み符号化を行い、符号化後の長さがＬ×Ｑ×２又はＬ×Ｑ×ｎであり、Ｙ＝２、ｎ＝２、Ｌ＝１２、Ｑ＝２であり、ＱＰＳＫ変調方式を用いる。ＱＰＳＫ変調方式を採用する時、Ｑ＝２で、１６ＱＡＭ変調方式を採用する時、Ｑ＝４で、６４ＱＡＭ変調方式を採用する時、Ｑ＝６であり、該データに対して符号化を行った後、さらにスクランブリング及び／又はインターリービング、及び変調（或いは、該データに対して符号化を行った後、さらにスクランブリング、変調、及び／又はインターリービングを行う）を行い、前記インターリービング方法は、固定シーケンスに応じてインターリービングを行い、或いは行入力列出力の行列に応じてインターリービングを行い、或いはブロックインターリービングの方法に応じてインターリービングを行う。
【００４８】
本発明実施例のユーザ機器は、時間領域拡張モジュール及びデータ伝送モジュールを備え、時間領域拡張モジュールが、フィードバック待ちの情報のビットデータに対して１つのサブフレーム内に時間領域拡張を行うように設置され、データ伝送モジュールが、時間領域拡張モジュールにより得られた拡張後データ及び対応する復調参照信号をそれぞれ該サブフレーム内の複数のアップリンクＳＣ−ＦＤＭＡ符号にマッピングし、時分割多重の方式を採用し、同じ周波数領域位置で上記拡張後データ及び対応する復調参照信号を伝送するように設置され、各アップリンクＳＣ−ＦＤＭＡ符号は周波数領域でｎ個の連続の物理リソースブロックを占用し、ｎは正整数である。
【００４９】
時間領域拡張モジュールは、上記ビットデータに対して符号化、スクランブリング及び／又はインターリービング、及び変調を行い、その後、さらに上記処理を行ったデータに対して離散フーリエ変換（ＤＦＴ）を行うという方式で、フィードバック待ちの情報のビットデータに対して１つのサブフレーム内に時間領域拡張を行うように設置され、スクランブリング、インターリービング及び変調の処理順序は任意である。
【００５０】
本発明はさらに他のユーザ機器を提供し、該ユーザ機器は、パケットモジュール及び送信モジュールを備え、パケットモジュールが、フィードバック待ちの情報のビットデータをｎ組に分けるように設置され、送信モジュールが、各組のデータを適切にフォーマットがＰＵＣＣＨ  Ｆｏｒｍａｔ２又はＰＵＣＣＨ  Ｆｏｒｍａｔ３である１つのＰＵＣＣＨによって送信し出すように設置され、ｎは２であり、ビットデータを搬送するＰＵＣＣＨは周波数領域で同じ又は隣接の物理リソースブロックを占用する。
【００５１】
【数７】
0005567219.tif 000012
【００５２】
次に、４つの実施例で本発明をさらに説明する。
【００５３】
実施例１
ＰＵＣＣＨ  Ｆｏｒｍａｔ  Ｘでフィードバック情報を送信し、
キャリアアグリゲーションシーンにおいて、ｎ＝２である時、ＰＵＣＣＨ  Ｆｏｒｍａｔ  Ｘフォーマットのチャンネル構造は図４ａと図４ｂに示され、ＲＳは復調参照信号を表し、具体的な記述は以下のとおりであり、
周波数領域で連続ｎ個の物理リソースブロックを占有し、１つのアップリンクＳＣ−ＦＤＭＡ符号におけるデータに対して時間領域拡張を行い、時間領域拡張後データを相応な時間領域アップリンクＳＣ−ＦＤＭＡ符号にマッピングし、復調参照信号とデータが時分割多重の方式を採用し、同じ周波数領域位置で伝送し、
総帯域幅がＮであり、物理リソースブロック索引が０から番号を付け、前記チャンネルは第１のスロットでの物理リソースブロック索引がｍで、第２のスロットでの物理リソースブロック索引がＮ−１−ｍである。前記チャンネル構造の時間領域長さは１つのサブフレームであり、サイクリックプレフィックスは通常サイクリックプレフィックスである時は、図４ａに示すように、データに対応するアップリンクＳＣ−ＦＤＭＡ符号が５つで、復調参照信号に対応するアップリンクＳＣ−ＦＤＭＡ符号が２つであり、それぞれ各スロットの第２と第６のアップリンクＳＣ−ＦＤＭＡ符号に位置し、サイクリックプレフィックスは拡張サイクリックプレフィックスである時は、図４ｂに示すように、データに対応するアップリンクＳＣ−ＦＤＭＡ符号が５つで、復調参照信号に対応するアップリンクＳＣ−ＦＤＭＡ符号が１つであり、各スロットの第３又は第４のアップリンクＳＣ−ＦＤＭＡ符号に位置する。表４に示すように、時間領域拡張符号は５次ＤＦＴシーケンスである。
【００５４】
【表４】
0005567219.tif 000013
【００５５】
符号化方案１
オリジナルのＯ個のビットのフィードバック待ちの情報ビットデータをＹ組に分け、各組のデータに対してそれぞれＲＭ（３２、Ｏ）符号化を行い、第ｉ組データの符号化後の長さがＬ×Ｑ×２又はＬ×Ｑであり、Ｙ＝ｎ＝２、Ｌ＝１２、Ｑ＝２であり、ＱＰＳＫ変調方式を用い、或いは、オリジナルのＯ個のビットフィードバック待ちの情報ビットデータに対して畳み込み符号化を行い、符号化後の長さがＬ×Ｑ×２×ｎ又はＬ×Ｑ×ｎであり、Ｙ＝ｎ＝２、Ｌ＝１２、Ｑ＝２であり、ＱＰＳＫ変調方式を用いる。
【００５６】
【数８】
0005567219.tif 000014
【００５７】
【数９】
0005567219.tif 000015
【００５８】
【表５】
0005567219.tif 000016
【００５９】
【数１０】
0005567219.tif 000017
【００６０】
符号化方案２
フィードバックメッセージＯ０，Ｏ１，…，ＯＭ−１に対して図５に示すような拘束長さが７、符号化率が１／３のテイルバイティング畳み込み符号化を採用し、ｂ０，ｂ１，…，ｂＢ−１は符号化後のビットシーケンスを表し、Ｂは符号化後の長さを表し、同一サブフレーム内の２つのスロットに搬送する情報が同じであると、Ｂ＝ｎ×Ｌ×Ｑで、同一サブフレーム内の２つのスロットに搬送する情報が異なると、Ｂ＝２×ｎ×Ｌ×Ｑであり、
上記インターリービングの過程は符号化後のシーケンスｂ０，ｂ１，…，ｂＢ−１を一定の規則（例えば固定シーケンスに応じてインターリービングを行い、或いは行入力列出力の行列方法に応じてインターリービングを行い、或いはブロックインターリービングの方法に応じてインターリービングを行う）に応じて変換してｂ０’，ｂ１’，…，ｂＢ−１’を得て、スクランブリングの過程は、スクランブリングコードシーケンスｃ０，ｃ１，…，ｃＢ−１と符号化インターリービング後で得られたシーケンスｂ０’，ｂ１’，…，ｂＢ−１’（又は符号化後で得られたシーケンスｂ０，ｂ１，…，ｂＢ−１）を加算してから２で割った余りを求め、スクランブリング後のシーケンスｑ０，ｑ１，…，ｑＢ−１を得て、即ちｑｉ＝ｍｏｄ（（ｃｉ＋ｂｉ’），２）であり、ｉ＝０、１、…、Ｂ−１であり、スクランブリングコードシーケンスは擬似ランダムシーケンスから構成できる。該インターリービング過程は選択可能な過程である。
【００６１】
【数１１】
0005567219.tif 000018
【００６２】
【数１２】
0005567219.tif 000019
【００６３】
【数１３】
0005567219.tif 000020
【００６４】
前記ｎ個のＰＵＣＣＨ  Ｆｏｒｍａｔ  ３チャンネルリソースは高層シグナリングにより配置される。
【００６５】
前記チャンネルにより伝送されるフィードバック情報ビットはＡＣＫ／ＮＡＣＫ情報、チャンネル状態情報、ランクインジケータ情報、スケジューリング要求情報の中の一種又は複数種であってもよい。
【００６６】
実施例３
ｎ個のＰＵＣＣＨ  Ｆｏｒｍａｔ  ２を用いて隣接或いは同一の物理リソースブロックでフィードバック待ちの情報のビットデータを伝送し、ｎは２である。
【００６７】
フィードバック待ちの情報のビットデータをｎ組に分けてもよく、各組フィードバック情報が１つのＰＵＣＣＨ  Ｆｏｒｍａｔ  ２に対応し、各ＰＵＣＣＨ  Ｆｏｒｍａｔ  ２が相応な組内のビットデータを伝送する。
【００６８】
【数１４】
0005567219.tif 000021
【００６９】
前記ｎ個のＰＵＣＣＨ  Ｆｏｒｍａｔ  ２チャンネルリソースは高層シグナリングにより配置される。
【００７０】
前記チャンネルにより伝送されるフィードバック情報ビットはＡＣＫ／ＮＡＣＫ情報、チャンネル状態情報、ランクインジケータ情報、スケジューリング要求情報の中の一種又は複数種であってもよい。
【００７１】
実施例４
キャリアアグリゲーションシーンにおいて、ＰＵＣＣＨ  Ｆｏｒｍａｔ  Ｘを用いてフィードバック情報を送信し、
ｎが１のチャンネル構造は図７に示され、具体的な記述は以下のとおりである。
【００７２】
周波数領域で連続ｎ個の物理リソースブロックを占有し、１つのアップリンクＳＣ−ＦＤＭＡ符号におけるデータに対して時間領域拡張を行い、時間領域拡張後データを相応な時間領域アップリンクＳＣ−ＦＤＭＡ符号にマッピングし、復調参照信号とデータが時分割多重の方式を採用し、同じ周波数領域位置で伝送する。
【００７３】
総帯域幅がＮであり、物理リソースブロック索引が０から番号を付け、前記チャンネルは第１のスロットでの物理リソースブロック索引がｍで、第２のスロットでの物理リソースブロック索引がＮ−１−ｍであり、前記チャンネル構造の時間領域長さが１つのサブフレームであり、サイクリックプレフィックスは通常サイクリックプレフィックスである時、データに対応するアップリンクＳＣ−ＦＤＭＡ符号が５つで、復調参照信号に対応するアップリンクＳＣ−ＦＤＭＡ符号が２つであり、各スロットの第２と第６のアップリンクＳＣ−ＦＤＭＡ符号に位置し、サイクリックプレフィックスは拡張サイクリックプレフィックスである時、データに対応するアップリンクＳＣ−ＦＤＭＡ符号が５つで、復調参照信号に対応するアップリンクＳＣ−ＦＤＭＡ符号が１つであり、各スロットの第３の又は第４のアップリンクＳＣ−ＦＤＭＡ符号に位置し、時間領域拡張符号は５次ＤＦＴシーケンスであり、表４に示す。
【００７４】
【数１５】
0005567219.tif 000022
【００７５】
【数１６】
0005567219.tif 000023
【００７６】
【数１７】
0005567219.tif 000024
【００７７】
【表６】
0005567219.tif 000025
【００７８】
符号化方案２
フィードバックメッセージＯ０，Ｏ１，…，ＯＭ−１に対して図５に示すような拘束長さが７、符号化率が１／３のテイルバイティング畳み込み符号化方式を採用し、ｂ０，ｂ１，…，ｂＢ−１は符号化後のビットシーケンスを表し、Ｂは符号化後の長さを表し、Ｂ＝２×Ｌ×Ｑであり、
図８ａに示すように、前記フィードバック情報のビットデータに対して符号化、スクランブリング及び／又はインターリービング、及び変調を行い、その後、さらに上記処理を行ったデータに対してＤＦＴを行い、
インターリービングの過程は符号化後のシーケンスｂ０，ｂ１，…，ｂＢ−１を一定の規則に応じて変換してｂ０’，ｂ１’，…，ｂＢ−１’を得て、（インターリービングの過程は選択可能である）前記インターリービング方法はシーケンス｛ｘ０，ｘ１，…，ｘＢ−１｝に基づいてインターリービング待ちのビットに対してインターリービングを行い、ｘ０，ｘ１，…，ｘＢ−１は１からＢまでの正整数シーケンスであり、或いは、前記インターリービング方法は行入力列出力の行列インターリービング方法に応じて行い、例えば、インターリービング待ちのビット数量は４８である時、前記シーケンスが｛１、３、５、７、９、１１、１３、１５、１７、１９、２１、２３、２５、２７、２９、３１、３３、３５、３７、３９、４１、４３、４５、４７、２、４、６、８、１０、１２、１４、１６、１８、２０、２２、２４、２６、２８、３０、３２、３４、３６、３８、４０、４２、４４、４６、４８｝で、或いは、｛１、２、２５、２６、３、４、２７、２８、５、６、２９、３０、７、８、３１、３２、９、１０、３３、３４、１１、１２、３５、３６、１３、１４、３７、３８、１５、１６、３９、４０、１７、１８、４１、４２、１９、２０、４３、４４、２１、２２、４５、４６、２３、２４、４７、４８｝で、或いは、｛１、２、３、４、５、６、７、８、９、１０、１１、１２、２５、２６、２７、２８、２９、３０、３１、３２、３３、３４、３５、３６、１３、１４、１５、１６、１７、１８、１９、２０、２１、２２、２３、２４、３７、３８、３９、４０、４１、４２、４３、４４、４５、４６、４７、４８｝であり、上記順序に応じて改めてインターリービング待ちのビットを配列し、インターリービングを完成する。或いは、前記インターリービング方法はブロックインターリービング法であり、即ち、符号化方案１に対して、各組が２４個のビットに対応し、１つの組内のビットデータを順序に応じて２つのブロックに分け、各ブロックに１２個のビットを含み、各ブロックデータに対してインターリービング直列を行い、インターリービング前のビットシーケンスを、
【００７９】
【数１８】
0005567219.tif 000026
【００８０】
であり、
時間領域拡張は、直交シーケンスを用いて符号化後のシーケンスを占用される符号に拡張することを指し、直交シーケンスはＤＦＴシーケンスを採用してもよく、
ＤＦＴ変換は、符号における変調シーケンスに対してＤＦＴ操作を行うことを指す。
【００８１】
或いは、
図８ｂに示すように、前記ビットデータに対して符号化、スクランブリング、変調及び／又はインターリービングを行い、その後、さらに上記処理を行ったデータに対して離散フーリエ変換（ＤＦＴ）を行い、
スクランブリングの過程は、スクランブリングコードシーケンスｃ０，ｃ１，…，ｃＢ−１と符号化後のシーケンスｂ０，ｂ１，…，ｂＢ−１を加算してから２で割った余りを求め、スクランブリング後のシーケンスｑ０，ｑ１，…，ｑＢ−１を得て、即ちｑｉ＝ｍｏｄ（（ｃｉ＋ｂｉ’），２）（ｉ＝０，１，・・・，Ｂ−１）であり、スクランブリングコードシーケンスは擬似ランダムシーケンスから構成され、
変調方式はＱＰＳＫを採用し、（Ｑｍ＝２）であり、変調後のシーケンスは、
【００８２】
【数１９】
0005567219.tif 000027
【００８３】
或いは、前記インターリービング方法は行入力列出力の行列インターリービング方法に応じて行い、例えば、インターリービング待ちの変調符号数量は２４である時、前記シーケンスが｛１、２、３、４、５、６、１３、１４、１５、１６、１７、１８、７、８、９、１０、１１、１２、１９、２０、２１、２２、２３、２４｝で、或いは｛１、３、５、７、９、１１、１３、１５、１７、１９、２１、２３、２、４、６、８、１０、１２、１４、１６、１８、２０、２２、２４｝であり、上記順序に応じて改めてインターリービング待ちのビットを配列し、インターリービングを完成する。或いは、前記インターリービング方法はブロックインターリービングであり、符号化方案１に対して、各組が１２個の変調符号に対応し、１つの組を順序に２つのブロックに分け、各ブロックに６つの変調符号を含み、各ブロックがインターリービング直列し、インターリービング前の変調符号シーケンスがＱ０，Ｑ１，…，Ｑ２３で、インターリービング後の変調符号がＱ０，…，Ｑ５，Ｑ１２，…，Ｑ１５，Ｑ６，…，Ｑ１１，Ｑ１６，…，Ｑ２３であり、
時間領域拡張は、直交シーケンスを用いて符号化後のシーケンスを占用される符号に拡張することを指し、直交シーケンスはＤＦＴシーケンスを採用してもよく、
ＤＦＴ変換は、符号における変調シーケンスに対してＤＦＴ操作を行うことを指す。
【００８４】
或いは、
図８ｃに示すように、組分けを行ったフィードバック情報のビットデータに対してそれぞれ組に応じて符号化、スクランブリング、変調、直列を行い、その後、さらに上記処理を行ったデータに対して離散フーリエ変換（ＤＦＴ）を行い、
【００８５】
【数２０】
0005567219.tif 000028
【００８６】
時間領域拡張は、直交シーケンスを用いて符号化後のシーケンスを占用される符号に拡張することを指し、直交シーケンスはＤＦＴシーケンスを採用してもよい。
【００８７】
ＤＦＴ変換は、符号における変調シーケンスに対してＤＦＴ操作を行うことを指す。
【００８８】
前記チャンネルに伝送するフィードバック情報ビットデータはＡＣＫ／ＮＡＣＫ情報、チャンネル状態情報、ランクインジケータ情報、スケジューリング要求情報の中の一種又は複数種であってもよく、ＵＥにより配置されたセルと相応な伝送モードに基づいて、フィードバック情報の数量を確定し、前記チャンネルリソースが高層シグナリングによって目標ＵＥに配置される。
【００８９】
本実施例の前記チャンネルはキャリアアグリゲーションにおいてＴＤＤフィードバックＡＣＫ／ＮＡＣＫ情報数量が１１より大きい時、或いは、ＵＥがｒ個のダウンリンクセルのチャンネル状態情報をフィードバックする時に応用できる。
【００９０】
本分野の普通技術者は前記方法における全部或いは一部ステップがプログラムによって関係ハードウェアを指令して完成してもよいことを理解することができ、前記プログラムがコンピューターの読み取り可能な記憶媒体、例えば、ＲＯＭ、ディスク又はＣＤなどに記憶されてもよい。選択可能的に、上記実施例の全部或いは一部ステップは１つ又は複数の集積回路で実現してもよい。相応的に、前記実施例における各モジュール／ユニットはハードウェアの形式で実現してもよく、ソフトウェア機能モジュールの形式で実現してもよい。本発明はいずれかの特定形式のハードウェアとソフトウェアの結合に限定されない。
【産業上の利用可能性】
【００９１】
本発明はＵＥフィードバック情報のビット数量を増加させ、アップリンクフィードバック容量を向上させ、システムの最大スループットを保証し、且つダウンリンクチャンネル情報のフィードバック遅延を減少させる。
【図１】
0005567219.tif 000034
【図２】
0005567219.tif 000035
【図３】
0005567219.tif 000036
【図４ａ】
0005567219.tif 000037
【図４ｂ】
0005567219.tif 000038
【図５】
0005567219.tif 000039
【図６ａ】
0005567219.tif 000040
【図６ｂ】
0005567219.tif 000041
【図７ａ】
0005567219.tif 000042
【図７ｂ】
0005567219.tif 000043
【図８ａ】
0005567219.tif 000044
【図８ｂ】
0005567219.tif 000045
【図８ｃ】
0005567219.tif 000046
【図９】
0005567219.tif 000047